(57)【要約】      （修正有）【課題】筐体の強度をより向上させることが可能な技術を提供する。【解決手段】第一の側壁部１１０を有する第一の筐体部１０Ａと、第二の側壁部２１０を有する第二の筐体部２０と、を備え、第一の側壁部は、内周面１１２に第一の突出部１３０を有し、第二の側壁部は、外周面２１１に第一の突出部が嵌合する第一の凹部２８０を有する、筐体１Ａが提供される。また、第一の突出部は、他の筐体部品が有する第二の側壁部の外周面に備えられた第一の凹部に嵌合する、筐体部品が提供される。【選択図】図１
2015050430.tif 000002
【特許請求の範囲】
【請求項１】
第一の側壁部を有する第一の筐体部と、
第二の側壁部を有する第二の筐体部と、を備え、
前記第一の側壁部は、内周面に第一の突出部を有し、
前記第二の側壁部は、外周面に前記第一の突出部が嵌合する第一の凹部を有する、
筐体。
【請求項２】
前記第一の筐体部は、前記第一の側壁部よりも内側に第三の側壁部を有し、
前記第三の側壁部は、外周面に第二の突出部を有し、
前記第二の側壁部は、内周面に前記第二の突出部が嵌合する第二の凹部を有する、
請求項１に記載の筐体。
【請求項３】
前記第一の突出部および前記第二の突出部それぞれは、１または複数のリブを有する、
請求項２に記載の筐体。
【請求項４】
前記第一の突出部および前記第二の突出部それぞれは、複数のリブを有する、
請求項３に記載の筐体。
【請求項５】
前記第二の側壁部は、少なくとも一部において前記第一の凹部と前記第二の凹部とを交互に有する、
請求項２に記載の筐体。
【請求項６】
前記第一の筐体部および前記第二の筐体部それぞれは、前記第一の筐体部と前記第二の筐体部とが外れることを妨げる固定部材を有する、
請求項１に記載の筐体。
【請求項７】
前記第一の筐体部および前記第二の筐体部それぞれは、前記第一の筐体部と前記第二の筐体部とが外れることを妨げる固定部材を有する、
請求項２に記載の筐体。
【請求項８】
内周面に第一の突出部を有する第一の側壁部を備え、
前記第一の突出部は、他の筐体部品が有する第二の側壁部の外周面に備えられた第一の凹部に嵌合する、
筐体部品。
【請求項９】
外周面に第一の凹部を有する第二の側壁部を備え、
前記第一の凹部には、他の筐体部品が有する第一の側壁部の内周面に備えられた第一の突出部が嵌合する、
筐体部品。
【発明の詳細な説明】
【技術分野】
【０００１】
本開示は、筐体および筐体部品に関する。
【背景技術】
【０００２】
近年、様々な種類の筐体が開発されている。例えば、複数の筐体部によって形成される筐体が存在する。複数の筐体部によって形成される筐体の例として、第一の筐体部における側壁部の第二の筐体部側の面に備えられた突出部が第二の筐体部における側壁部に備えられた溝に嵌合することによって形成される筐体が開示されている（例えば、特許文献１参照。）。
【先行技術文献】
【特許文献】
【０００３】
【特許文献１】特開平１１−５４９５０号公報
【発明の概要】
【発明が解決しようとする課題】
【０００４】
しかし、筐体の強度をより向上させることが可能な技術が提供されることが望ましい。
【課題を解決するための手段】
【０００５】
本開示によれば、第一の側壁部を有する第一の筐体部と、第二の側壁部を有する第二の筐体部と、を備え、前記第一の側壁部は、内周面に第一の突出部を有し、前記第二の側壁部は、外周面に前記第一の突出部が嵌合する第一の凹部を有する、筐体が提供される。
【０００６】
また、本開示によれば、内周面に第一の突出部を有する第一の側壁部を備え、前記第一の突出部は、他の筐体部品が有する第二の側壁部の外周面に備えられた第一の凹部に嵌合する、筐体部品が提供される。
【０００７】
また、本開示によれば、外周面に第一の凹部を有する第二の側壁部を備え、前記第一の凹部には、他の筐体部品が有する第一の側壁部の内周面に備えられた第一の突出部が嵌合する、筐体部品が提供される。
【発明の効果】
【０００８】
以上説明したように本開示によれば、筐体の強度をより向上させることが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【０００９】
【図１】本開示の第１の実施形態に係る筐体の分解斜視図である。
【図２】第一の筐体部を第二の筐体部側から見た図である。
【図３】第二の筐体部を第一の筐体部側から見た図である。
【図４】第一の突出部が第一の凹部に嵌合した状態における嵌合部分の拡大横断面図である。
【図５】第一の突出部が第一の凹部に嵌合した状態における固定部分の拡大縦断面図である。
【図６】第一の突出部が第一の凹部に嵌合した状態における筐体の斜視図である。
【図７】本開示の第２の実施形態に係る筐体の分解斜視図である。
【図８】第一の筐体部を第二の筐体部側から見た図である。
【図９】第一の突出部が第一の凹部に嵌合し、かつ、第二の突出部が第二の凹部に嵌合した状態における各嵌合部分の拡大横断面図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
なお、説明は以下の順序で行うものとする。
１．第１の実施の形態（第一の筐体部の側壁部が一重の例）
１．１．筐体の概要説明
１．２．第一の突出部および第一の凹部
１．３．固定部材
１．４．筐体を接合した状態
２．第２の実施の形態（第一の筐体部の側壁部が二重の例）
２．１．第二の突出部および第二の凹部
３．むすび
【００１２】
＜１．第１の実施形態＞
まず、本開示の第１の実施形態について説明する。
【００１３】
［１．１．筐体の概要説明］
まず、本開示の第１の実施形態に係る筐体１Ａの概要について説明する。図１は、本開示の第１の実施形態に係る筐体１Ａの分解斜視図である。図１に示すように、筐体１Ａは、第一の筐体部１０Ａと第二の筐体部２０とを備える。また、図２は、第一の筐体部１０Ａを第二の筐体部２０側から見た図であり、図３は、第二の筐体部２０を第一の筐体部１０Ａ側から見た図である。
【００１４】
図１および図２に示したように、第一の筐体部１０Ａは、第一の側壁部１１０と板状部１５０とを有する。図１および図２には、板状部１５０の形状が丸みを帯びた角を有する略矩形である場合が示されているが、板状部１５０の形状は尖った角を有する矩形であってもよいし、矩形以外の形状であってもよい。また、板状部１５０の表面は必ずしも平面ではなく曲面であってもよい。
【００１５】
また、図１および図２に示したように、第一の側壁部１１０は、板状部１５０の周縁部に存在している。図１および図２に示した例では、第一の側壁部１１０が板状部１５０に対して垂直な方向に立設されているが、第一の側壁部１１０は板状部１５０に対して傾斜していてもよい。図１および図２に示したように、第一の側壁部１１０は、外周面１１１と、内周面１１２と、第二の筐体部側の面１１３とを有する。
【００１６】
図１および図３に示したように、第二の筐体部２０は、第二の側壁部２１０と板状部２５０とを有する。図１および図３には、板状部２５０の形状が丸みを帯びた角を有する略矩形である場合が示されているが、板状部２５０の形状は尖った角を有する矩形であってもよいし、矩形以外の形状であってもよい。また、板状部２５０の表面は必ずしも平面ではなく曲面であってもよい。
【００１７】
また、図１および図３に示したように、第二の側壁部２１０は、板状部２５０の周縁部に存在している。図１および図３に示した例では、第二の側壁部２１０が板状部２５０に対して垂直な方向に立設されているが、第二の側壁部２１０は板状部２５０に対して傾斜していてもよい。図３に示したように、第二の側壁部２１０は、外周面２１１と、内周面２１２と、第一の筐体部側の面２１３とを有する。
【００１８】
第一の筐体部１０Ａと第二の筐体部２０とを接合する場合、第一の側壁部１１０と板状部１５０と第二の側壁部２１０と板状部２５０とによって囲まれる空間には、種々の物体を収容することが可能である。収容される物体の種類は特に限定されず、電子回路などであってもよい。したがって、筐体１Ａは、様々な電子機器の筐体であってもよい。電子機器は、例えば、電卓であってよいし、読取装置によってデータを読み取り可能なカードであってもよいし、携帯電話などの携帯端末であってもよい。
【００１９】
ここで、一般的には、第二の筐体部側の面１１３に突出部を形成し、この突出部が第二の側壁部２１０に備えられた溝に嵌合することによって筐体が形成される。しかし、第二の筐体部側の面１１３は第一の側壁部１１０の厚み部分に相当し得るため、厚み部分が狭い場合などには、突出部は第二の筐体部側の面１１３に垂直な方向に細長くなりやすく、筐体の強度を向上させるのは容易ではない。
【００２０】
そこで、本開示の第１の実施形態においては、筐体の強度をより向上させることが可能な技術を主に説明する。筐体の強度は、筐体の外部から加えられる力に対する耐力であってよい。筐体の外部から加えられる力には、筐体を曲げる力、筐体をねじる力、筐体を圧縮する力などといった種々の力が想定され得る。以上、本開示の第１の実施形態に係る筐体１Ａの概要について説明した。
【００２１】
［１．２．第一の突出部および第一の凹部］
続いて、筐体の強度を向上させる技術について詳細に説明する。図１および図２に示したように、本開示の第１の実施形態においては、第一の側壁部１１０は、内周面１１２に第一の突出部１３０を有する。また、図１および図３に示したように、第二の側壁部２１０は、外周面２１１に第一の凹部２８０を有する。第一の筐体部１０Ａと第二の筐体部２０とを接合する場合には、第一の突出部１３０は、第一の凹部２８０に嵌合するものである。
【００２２】
かかる構成によれば、内周面１１２が第一の突出部１３０を形成するための広さを十分に確保し得るため、第一の突出部１３０は内周面１１２に垂直な方向に細長くなりにくく、筐体の強度をより向上させることが可能である。また、第一の側壁部１１０および第二の側壁部２１０が二重壁として機能するため、筐体の強度をより向上させることが可能である。さらに、筐体を生成するための特別な装置や部品を用意しなくてもよいため、簡易な手法によって筐体の強度を向上させることが可能である。
【００２３】
ここで、第一の突出部１３０の数は特に限定されず、１個であってもよいし、複数であってもよい。図１および図２に示した例では、板状部１５０の各短辺部に立設された第一の側壁部１１０が、それぞれ７個の第一の突出部１３０を有しており、板状部１５０の各長辺部に立設された第一の側壁部１１０は、それぞれ１１個の第一の突出部１３０を有している。第一の凹部２８０の数も特に限定されず、例えば、第一の突出部１３０の数と同数の第一の凹部２８０が形成されていればよい。
【００２４】
第一の突出部１３０と第一の凹部２８０との嵌合についてさらに詳細に説明を続ける。図４は、第一の突出部１３０が第一の凹部２８０に嵌合した状態における嵌合部分の拡大横断面図である。図４を参照すると、それぞれの第一の突出部１３０は、２個のリブ１３１を有している。しかし、第一の突出部１３０が有するリブ１３１の数は特に限定されない。したがって、例えば、第一の突出部１３０は、１または複数のリブ１３１を有していればよい。１または複数のリブ１３１が第一の凹部２８０に嵌合することによって、嵌合部分の強度が向上され得る。なお、本明細書において記載されているリブは、平面に垂直な方向に取り付けられる部材を意味している。
【００２５】
より望ましくは、第一の突出部１３０は、複数のリブ１３１を有しているとよい。第一の突出部１３０が複数のリブ１３１を有する場合には、第一の突出部１３０が１つの太いリブを有する場合と比較して、第一の側壁部１１０の厚みの大きい部分が減少し、第一の筐体部１０Ａの成型時にヒケが発生する可能性を低減することが可能となる。
【００２６】
また、第一の突出部１３０が複数のリブ１３１を有する場合には、リブ１３１が嵌合する第一の凹部２８０の幅がより広くなる。そのため、第二の側壁部２１０の厚みの大きい部分が減少し、第二の筐体部２０の成型時にヒケが発生する可能性を低減することが可能となる。また、第一の凹部２８０の幅がより広くなることによって、第二の側壁部２１０の成型時の離形性を向上させることが可能となる。
【００２７】
一方、第一の突出部１３０が有するリブ１３１の数が増加するにつれて、第一の側壁部１１０と第二の側壁部２１０との間に生じる空間が大きくなり得る。第一の側壁部１１０と第二の側壁部２１０との間に生じる空間が大きくなり過ぎると、この空間に接している部分の強度が低下してしまうおそれがある。図４に示したように、第一の突出部１３０が２個のリブ１３１を有するようにすれば、第一の側壁部１１０と第二の側壁部２１０との間に生じる空間をより小さくし、この空間に接している部分の強度の低下も抑えることが可能となる。
【００２８】
なお、第二の筐体部２０の外周面２１１が第一の凹部２８０を有しているのは既に述べた通りであるが、図３を参照すると、第二の筐体部２０の内周面２１２も第二の凹部２８５を有しており、外周面２１１の凹凸に合わせるようにして内周面２１２も凹凸を有している。このように、第二の側壁部２１０が、少なくとも一部において第一の凹部２８０と第二の凹部２８５とを交互に有するようにすれば、第二の側壁部２１０の厚みの大きい部分が減少し、第二の筐体部２０の成型時にヒケが発生する可能性を低減することが可能となる。
【００２９】
［１．３．固定部材］
以上に説明したように、第二の側壁部２１０の外周面２１１に備えられる第一の凹部２８０に、第一の側壁部１１０に備えられる第一の突出部１３０が嵌合することによって、筐体１Ａの強度をより向上させることが可能である。しかし、筐体１Ａの強度を向上させるための構成が追加的に備えられていてもよい。
【００３０】
例えば、第一の筐体部１０Ａおよび第二の筐体部２０それぞれは、第一の筐体部１０Ａと第二の筐体部２０とが外れることを妨げる固定部材を有していてもよい。図１に示した例では、第一の筐体部１０Ａが固定部材１４０を有しており、第二の筐体部２０が固定部材２９０を有している。第一の筐体部１０Ａと第二の筐体部２０とが接合されると、固定部材２９０が固定部材１４０に固定されることによって、筐体１Ａの強度がより向上することが期待される。固定部材は爪状の固定部材でもよいし、他の固定部材であってもよい。
【００３１】
固定部材２９０が固定部材１４０に固定されている状態についてさらに詳細に説明を続ける。図５は、第一の突出部１３０が第一の凹部２８０に嵌合した状態における固定部分の拡大縦断面図である。図５を参照すると、固定部材２９０が固定部材１４０に固定されており、第一の側壁部１１０と第二の側壁部２１０とが外れることを妨げる機能を有していることが把握される。
【００３２】
なお、図３に示した例では、板状部１５０の各短辺部に立設された第一の側壁部１１０が、それぞれ２個の固定部材１４０を有しており、板状部１５０の各長辺部に立設された第一の側壁部１１０は、それぞれ３個の固定部材１４０を有している。しかし、固定部材１４０の数は特に限定されない。また、図３に示した例では、第一の突出部１３０が有する２つのリブ１３１の間に固定部材１４０が設けられているが、固定部材１４０の位置も特に限定されない。
【００３３】
［１．４．筐体を接合した状態］
以上に説明したように、第一の凹部２８０に第一の突出部１３０が嵌合することにより、筐体１Ａの強度が向上し得る。また、固定部材１４０に固定部材２９０が固定されることによって筐体１Ａの強度がさらに向上し得る。図６は、第一の筐体部１０Ａと第二の筐体部２０とが接合された状態における筐体１Ａの斜視図である。図６に示したように、第一の筐体部１０Ａと第二の筐体部２０とが接合された状態においては、第一の凹部２８０に第一の突出部１３０が嵌合しており、筐体１Ａの強度が向上している。また、固定部材１４０に固定部材２９０が固定されており、筐体１Ａの強度がさらに向上している。
【００３４】
以上、本開示の第１の実施形態について説明した。
【００３５】
＜２．第２の実施形態＞
続いて、本開示の第２の実施形態について説明する。
【００３６】
図７は、本開示の第２の実施形態に係る筐体１Ｂの分解斜視図である。図７に示すように、筐体１Ｂは、第一の筐体部１０Ｂと第二の筐体部２０とを備える。本開示の第２の実施形態においては、本開示の第１の実施形態と同様に、筐体１Ｂが第二の筐体部２０を有している。しかし、本開示の第２の実施形態においては、筐体１Ｂが第一の筐体部１０Ａとは異なる第一の筐体部１０Ｂを有している。そこで、本開示の第２の実施形態においては、第一の筐体部１０Ｂについて主に説明する。
【００３７】
図８は、第一の筐体部１０Ｂを第二の筐体部２０側から見た図である。図７および図８に示したように、第一の筐体部１０Ｂは、本開示の第１の実施形態に係る第一の筐体部１０Ａと同様に、第一の側壁部１１０と板状部１５０とを有する。また、第一の筐体部１０Ｂは、第一の側壁部１１０よりも内側に第三の側壁部１６０を有する。図７および図８に示した例では、第三の側壁部１６０が板状部１５０に対して垂直な方向に立設されているが、第三の側壁部１６０は板状部１５０に対して傾斜していてもよい。
【００３８】
第一の筐体部１０Ｂと第二の筐体部２０とを接合する場合、第三の側壁部１６０と板状部１５０と第二の側壁部２１０と板状部２５０とによって囲まれる空間には、種々の物体を収容することが可能である。本開示の第２の実施形態においても、本開示の第１の実施形態と同様に、収容される物体の種類は特に限定されない。
【００３９】
［２．１．第二の突出部および第二の凹部］
続いて、筐体の強度をより向上させる技術について詳細に説明する。図８に示したように、本開示の第２の実施形態においては、第三の側壁部１６０は、外周面に第二の突出部１８０を有する。また、図８に示したように、第三の側壁部１６０は、外周面に第二の突出部１８０を有する。第一の筐体部１０Ｂと第二の筐体部２０とを接合する場合には、第二の突出部１８０は、第二の凹部２８５に嵌合するものである。
【００４０】
かかる構成によれば、筐体の強度をより向上させることが可能である。また、第一の側壁部１１０、第二の側壁部２１０および第三の側壁部１６０が三重壁として機能するため、筐体の強度をより向上させることが可能である。特に、第二の筐体部２０の第二の側壁部２１０が、第一の筐体部１０Ｂの第三の側壁部１６０によって内側からも支えられる状態となる。このため、第二の側壁部２１０が内側に変形してしまう可能性をより低減し、第二の側壁部２１０が第一の筐体部１０Ｂから外れてしまう可能性をより低減することが可能となる。
【００４１】
ここで、第二の突出部１８０の数は特に限定されず、１個であってもよいし、複数であってもよい。図８に示した例では、板状部１５０の各短辺部に立設された第三の側壁部１６０が、それぞれ６個の第二の突出部１８０を有しており、板状部１５０の各長辺部に立設された第三の側壁部１６０は、それぞれ１０個の第二の突出部１８０を有している。第二の凹部２８５の数も特に限定されず、例えば、第二の突出部１８０の数と同数の第二の凹部２８５が形成されていればよい。
【００４２】
第二の突出部１８０と第二の凹部２８５との嵌合についてさらに詳細に説明を続ける。図９は、第一の突出部１３０が第一の凹部２８０に嵌合し、かつ、第二の突出部１８０が第二の凹部２８５に嵌合した状態における各嵌合部分の拡大横断面図である。図９を参照すると、それぞれの第二の突出部１８０は、２個のリブ１８１を有している。しかし、第二の突出部１８０が有するリブ１８１の数は特に限定されない。したがって、例えば、第二の突出部１８０は、１または複数のリブ１８１を有していればよい。１または複数のリブ１８１が第二の凹部２８５に嵌合することによって、嵌合部分の強度が向上され得る。
【００４３】
より望ましくは、第二の突出部１８０は、複数のリブ１８１を有しているとよい。第二の突出部１８０が複数のリブ１８１を有している場合には、第二の突出部１８０が１つの太いリブを有する場合と比較して、第三の側壁部１６０の厚みの大きい部分が減少し、第一の筐体部１０Ｂの成型時にヒケが発生する可能性を低減することが可能となる。
【００４４】
また、第二の突出部１８０が複数のリブ１８１を有する場合には、リブ１８１が嵌合する第二の凹部２８５の幅がより広くなる。そのため、第二の側壁部２１０の厚みの大きい部分が減少し、第二の筐体部２０の成型時にヒケが発生する可能性を低減することが可能となる。また、第二の凹部２８５の幅がより広くなることによって、第二の側壁部２１０の成型時の離形性を向上させることが可能となる。
【００４５】
一方、第二の突出部１８０が有するリブ１８１の数が増加するにつれて、第三の側壁部１６０と第二の側壁部２１０との間に生じる空間が大きくなり得る。第三の側壁部１６０と第二の側壁部２１０との間に生じる空間が大きくなり過ぎると、この空間に接している部分の強度が低下してしまうおそれがある。図９に示したように、第二の突出部１８０が２個のリブ１８１を有するようにすれば、第三の側壁部１６０と第二の側壁部２１０との間に生じる空間をより小さくし、この空間に接している部分の強度の低下も抑えることが可能となる。
【００４６】
＜＜３．むすび＞＞
以上説明したように、本開示の第１の実施形態によれば、第一の側壁部１１０を有する第一の筐体部１０Ａと、第二の側壁部２１０を有する第二の筐体部２０と、を備え、第一の側壁部１１０は、内周面１１２に第一の突出部１３０を有し、第二の側壁部２１０は、外周面２１１に第一の突出部１３０が嵌合する第一の凹部２８０を有する、筐体１Ａが提供される。
【００４７】
かかる構成によれば、内周面１１２が第一の突出部１３０を形成するための広さを十分に確保し得るため、第一の突出部１３０は内周面１１２に垂直な方向に細長くなりにくく、筐体の強度をより向上させることが可能である。また、第一の側壁部１１０および第二の側壁部２１０が二重壁として機能するため、筐体の強度をより向上させることが可能である。さらに、筐体を生成するための特別な装置や部品を用意しなくてもよいため、簡易な手法によって筐体の強度を向上させることが可能である。
【００４８】
さらに、本開示の第２の実施形態によれば、第一の筐体部１０Ｂが、第一の側壁部１１０よりも内側に第三の側壁部１６０を有し、第三の側壁部１６０が、外周面に第二の突出部１８０を有し、第二の側壁部２１０が、内周面２１２に第二の突出部１８０が嵌合する第二の凹部２８５を有する、筐体１Ｂが提供される。
【００４９】
かかる構成によれば、筐体の強度をより向上させることが可能である。また、第一の側壁部１１０、第二の側壁部２１０および第三の側壁部１６０が三重壁として機能するため、筐体の強度をより向上させることが可能である。特に、第二の筐体部２０の第二の側壁部２１０が、第一の筐体部１０Ｂの第三の側壁部１６０によって内側からも支えられる状態となる。このため、第二の側壁部２１０が内側に変形してしまう可能性をより低減し、第二の側壁部２１０が第一の筐体部１０Ｂから外れてしまう可能性をより低減することが可能となる。
【００５０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５１】
例えば、上記第１の実施形態では、第一の筐体部１０Ａおよび第二の筐体部２０それぞれが、第一の筐体部１０Ａと第二の筐体部２０とが外れることを妨げる固定部材を有することとした。しかし、第一の筐体部１０Ａと第二の筐体部２０とが外れることを妨げるための他の手法が固定部材の代わりに、あるいは固定部材と共に採用されてよい。例えば、接着剤によって第一の筐体部１０Ａと第二の筐体部２０とが固定されてもよい。
【００５２】
同様に、上記第２の実施形態においても、第一の筐体部１０Ｂと第二の筐体部２０とが接着剤によって固定されてもよい。かかる場合、第一の側壁部１１０と第三の側壁部１６０との間に接着剤が注入された上で、第一の側壁部１１０と第三の側壁部１６０との間に第二の側壁部２１０が差し込まれればよい。このようにして第一の側壁部１１０と第三の側壁部１６０との間に接着剤が注入されれば、接着剤が周囲に漏れ出す可能性を低減され得る。
【００５３】
また、第一の側壁部１１０と第三の側壁部１６０との間に生じる溝の幅を狭くするほど、筐体１Ａまたは筐体１Ｂの内部に液体（例えば、水など）が浸入する可能性を低減することが可能となる。したがって、第一の側壁部１１０と第三の側壁部１６０との間に生じる溝の幅を狭くすることによって、筐体１Ａまたは筐体１Ｂに対して簡易的に防水機能を発揮させることも可能となる。
【００５４】
また、第一の筐体部１０Ａは、筐体１Ａを生成するための筐体部品として機能し得る。かかる場合、第二の筐体部２０は、他の筐体部品として機能し得る。また、第一の筐体部１０Ｂも、筐体１Ｂを生成するための筐体部品として機能し得る。かかる場合、第二の筐体部２０は、他の筐体部品として機能し得る。
【００５５】
同様に、第二の筐体部２０は、筐体１Ａを生成するための筐体部品として機能し得る。かかる場合、第一の筐体部１０Ａは、他の筐体部品として機能し得る。また、第二の筐体部２０は、筐体１Ｂを生成するための筐体部品としても機能し得る。かかる場合、第一の筐体部１０Ｂは、他の筐体部品として機能し得る。
【００５６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００５７】
なお、以下のような構成も本開示の技術的範囲に属する。
（１）
第一の側壁部を有する第一の筐体部と、
第二の側壁部を有する第二の筐体部と、を備え、
前記第一の側壁部は、内周面に第一の突出部を有し、
前記第二の側壁部は、外周面に前記第一の突出部が嵌合する第一の凹部を有する、
筐体。
（２）
前記第一の筐体部は、前記第一の側壁部よりも内側に第三の側壁部を有し、
前記第三の側壁部は、外周面に第二の突出部を有し、
前記第二の側壁部は、内周面に前記第二の突出部が嵌合する第二の凹部を有する、
前記（１）に記載の筐体。
（３）
前記第一の突出部および前記第二の突出部それぞれは、１または複数のリブを有する、
前記（２）に記載の筐体。
（４）
前記第一の突出部および前記第二の突出部それぞれは、複数のリブを有する、
前記（３）に記載の筐体。
（５）
前記第二の側壁部は、少なくとも一部において前記第一の凹部と前記第二の凹部とを交互に有する、
前記（２）〜（４）のいずれか一項に記載の筐体。
（６）
前記第一の筐体部および前記第二の筐体部それぞれは、前記第一の筐体部と前記第二の筐体部とが外れることを妨げる固定部材を有する、
前記（１）〜（５）のいずれか一項に記載の筐体。
（７）
内周面に第一の突出部を有する第一の側壁部を備え、
前記第一の突出部は、他の筐体部品が有する第二の側壁部の外周面に備えられた第一の凹部に嵌合する、
筐体部品。
（８）
外周面に第一の凹部を有する第二の側壁部を備え、
前記第一の凹部には、他の筐体部品が有する第一の側壁部の内周面に備えられた第一の突出部が嵌合する、
筐体部品。
【符号の説明】
【００５８】
１（１Ａ、１Ｂ）  筐体
１０（１０Ａ、１０Ｂ）  第一の筐体部（筐体部品）
２０    第二の筐体部（筐体部品）
１１０  第一の側壁部
１１１  外周面
１１２  内周面
１３０  第一の突出部
１３１  リブ
１４０  固定部材
１５０  板状部
１６０  第三の側壁部
１８０  第二の突出部
１８１  リブ
２１０  第二の側壁部
２１１  外周面
２１２  内周面
２５０  板状部
２８０  第一の凹部
２８５  第二の凹部
２９０  固定部材
【図１】
2015050430.tif 000003
【図２】
2015050430.tif 000004
【図３】
2015050430.tif 000005
【図４】
2015050430.tif 000006
【図５】
2015050430.tif 000007
【図６】
2015050430.tif 000008
【図７】
2015050430.tif 000009
【図８】
2015050430.tif 000010
【図９】
2015050430.tif 000011